(57)【要約】      （修正有）【課題】ドラグカバーに目盛り機能を付けることで、ドラグノブとドラグカバーの相対回転角度を精確に示すことができる目盛り付きドラグ装置を有する魚釣リールを提供する。【解決手段】魚釣用スピニングリールのドラグ装置は、メインシャフト４に係止して軸方向に沿って移動するドラグカバー１２と、ドラグカバーの外径より小さな外径を有し、制動力の大きさを調整するドラグノブ１１と、スプールとメインシャフトの間に設けられ、ドラグカバーに作用するドラグカバー推進部と、を備える。ドラグカバーの外部の端面が摩擦制動システムに作用し、ドラグカバー推進部がドラグカバーに作用する制動力はドラグノブを回すことによって調整し、これによって、ドラグカバーが摩擦制動システムに作用する制動力を調整する。【選択図】図３
0003204780.tif 000002
【実用新案登録請求の範囲】
【請求項１】
ハンドルの回転操作によって釣糸が巻回されるスプールと、
前記スプールの上部に取り付けられ、前記スプールに対して所定の制動力を付与するドラグ装置と、前記スプールとメインシャフトの間に、釣糸の出し入れ際に制動力（ドラグ力）を付与する摩擦制動システムと、を有する魚釣用スピニングリールにおいて、
前記ドラグ装置は、前記メインシャフトに係止して軸方向に沿って移動するドラグカバーと、前記ドラグカバーの外径より小さな外径を有し、制動力の大きさを調整するドラグノブと、前記スプールと前記メインシャフトの間に設けられ、前記ドラグカバーに作用するドラグカバー推進部と、を備え、
前記ドラグカバーの外部の端面が前記摩擦制動システムに作用し、
前記ドラグカバー推進部が前記ドラグカバーに作用する制動力は、前記ドラグノブを回すことによって調整し、これによって、前記ドラグカバーが前記摩擦制動システムに作用する制動力を調整し、
前記ドラグカバーに制動力を付与する際に可視な目盛り機能が付くことを特徴とする目盛り付きドラグ装置を有する魚釣用スピニングリール。
【請求項２】
前記ドラグノブと前記ドラグカバーとの間に発声装置が設けられていることを特徴とする請求項１に記載する目盛り付きドラグ装置を有する魚釣用スピニングリール。
【請求項３】
前記ドラグカバー推進部が、バネと、前記ドラグノブの内部に設けられるナットと、を備え、前記バネの一つの端部が前記ナットに当接し、前記バネの他の端部が前記ドラグカバーの内周面に当接し、前記メインシャフトの前端部が前記ドラグカバーの中心孔を貫通し、前記ナットが前記メインシャフトの前端部のねじ山に螺合することを特徴とする請求項１に記載する目盛り付きドラグ装置を有する魚釣用スピニングリール。
【請求項４】
前記ドラグカバーの中心孔は、楕円形を呈していることを特徴とする請求項３に記載する目盛り付きドラグ装置を有する魚釣用スピニングリール。
【考案の詳細な説明】
【技術分野】
【０００１】
本考案は、ドラグ装置を有する魚釣用スピニングリールに関し、より詳しくは、目盛り付きドラグ装置を有する釣糸を前方に繰り出すタイプの魚釣用スピニングリールに関する。
【背景技術】
【０００２】
従来、魚釣用スピニングリールにおいて、ハンドルを回転することによりメインシャフトが前後運動し、釣糸を巻き取る機能になっている。釣糸を巻いているスプールは、メインシャフトが被せられており、メインシャフトの前後運動により前後運動のみをし、回転はしない。魚釣用スピニングリールには、スプールとメインシャフトの間に、釣糸の出し入れ際に制動力（ドラグ力）を付与する摩擦制動システムを有するドラグ装置が取り込まれている。このドラグ装置は、仕掛けに魚が掛かった際、引き出される釣糸に対して制動力を付与するものであり、ドラグノブを調整することで、メインシャフトに回転可能に保持されたスプールの回転に所望の制動力を加えることができるよう構成されている。上記の魚釣用スピニングリールにおいて、釣糸の出し入れはスプールが回転しないと釣糸が巻き取れないため、釣糸を巻き取る際に、ドラグ装置によって摩擦制動システムに圧力を掛けてスプールの回転抵抗を増やし、スプールが一定の圧力の範囲内に空回りしないようにして、釣糸を巻き取る。釣糸を繰り出す際に、ドラグ装置によって摩擦制動システムに掛ける圧力を低減させてスプールの回転抵抗を低くすることで、スプールが自由に回転することができ、釣糸が一定のドラグ力に引っかかる際に自由に繰り出すことができる。
【０００３】
しかしながら、今の魚釣用スピニングリールにおけるドラグ装置は、どのぐらいの圧力が掛かるかは感覚的なものになり、人間が釣糸を引っ張ることで調整することになっている。ドラグノブの回転角度が可視化できないため、スプールに掛ける圧力の大きさを把握することができず、ドラグ装置の制動力の調整が難しくなり、使用上不便であることが問題となっている。
【考案の概要】
【考案が解決しようとする課題】
【０００４】
本考案は、上記した問題に着目してなされたものであり、ドラグ装置に目盛り機能が付いており、１目盛りごとに摩擦制動が大きくなっている、見やすい目盛り付きドラグ装置を有するスピニングリールを提供することを目的とする。
【課題を解決するための手段】
【０００５】
（１）上記課題を解決するための手段として、本考案に係る目盛り付きドラグ装置を有する魚釣用スピニングリールは、ハンドルの回転操作によって釣糸が巻回されるスプールと、前記スプールの上部に取り付けられ、前記スプールに対して所定の制動力を付与するドラグ装置と、前記スプールとメインシャフトの間に、釣糸の出し入れ際に制動力（ドラグ力）を付与する摩擦制動システムと、を有する魚釣用スピニングリールにおいて、前記ドラグ装置は、前記メインシャフトに係止して軸方向に沿って移動するドラグカバーと、前記ドラグカバーの外径より小さな外径を有し、制動力の大きさを調整するドラグノブと、前記スプールと前記メインシャフトの間に設けられ、前記ドラグカバーに作用するドラグカバー推進部と、を備え、前記ドラグカバーの外部の端面が前記摩擦制動システムに作用し、前記ドラグカバー推進部が前記ドラグカバーに作用する制動力は、前記ドラグノブを回すことによって調整し、これによって、前記ドラグカバーが前記摩擦制動システムに作用する制動力を調整し、前記ドラグカバーに制動力を付与する際に可視な目盛り機能が付くことを特徴とする。
【０００６】
また、上記課題を解決するための手段として、本考案に係る（１）の目盛り付きドラグ装置を有する魚釣用スピニングリールは、さらに、前記ドラグノブと前記ドラグカバーの間に発声装置が設けられていることを特徴とする。
【０００７】
また、上記課題を解決するための手段として、本考案に係る（１）の目盛り付きドラグ装置を有する魚釣用スピニングリールは、前記ドラグカバー推進部が、バネと、前記ドラグノブの内部に設けられるナットと、を備え、前記バネの一つの端部が前記ナットに当接し、前記バネの他の端部が前記ドラグカバーの内周面に当接し、前記メインシャフトの前端部が前記ドラグカバーの中心孔を貫通し，前記ナットが前記メインシャフトの前端部のねじ山に螺合することを特徴とする。
【０００８】
また、上記課題を解決するための手段として、本考案に係る（３）の目盛り付きドラグ装置を有する魚釣用スピニングリールは、前記ドラグカバーの中心孔は、楕円形を呈していることが好ましい。
【考案の効果】
【０００９】
本考案によれば、ドラグ装置は簡単な構造を有し、ドラグノブがドラグカバーにのみ相対回転する構成となり、ドラグカバーに目盛り機能を付けることで、ドラグノブとドラグカバーの相対回転角度を精確に示すことができる。この構成によれば、ドラグノブが回転する際に、摩擦制動システムによって制動力をスプールに転送して、その回転を阻止し、ドラグノブとドラグカバーの相対回転角度を精確に示すことができる。したがって、使用者は、ドラグノブの回転角度を調整することでスプールに掛ける抵抗の大きさを精確に判断することができ、魚釣用スピニングリールの釣糸の出し入れを簡単にコントロールすることができる。
【図面の簡単な説明】
【００１０】
【図１】図１は本考案に係る目盛り付きドラグ装置を有する魚釣用スピニングリールを使用するときを示す概略図である。
【図２】図２は本考案に係る魚釣用スピニングリールの目盛り付きドラグ装置の正面図である。
【図３】図３は図２におけるＣ−Ｃ方向の断面図である。
【図４】図４は本考案に係る魚釣用スピニングリールの目盛り付きドラグ装置の背面図である。
【考案を実施するための形態】
【００１１】
以下、本考案に係る好ましい実施形態に基づき、図面と共に詳細に説明する。これらは例示の目的で掲げたもので、これらにより本考案を限定するものではない。また、実施形態の説明の全体を通して同じ要素には同じ番号を付している。
【００１２】
図１に示すように、本考案の実施形態に係るドラグ装置１は魚釣用スピニングリールのメインシャフト４に配置され、メインシャフト４はハンドル５の回転操作によって前後運動のみをし、回転はしない。スプール２はメインシャフト４の回転によって前後運動をすることができる。ドラグ装置１はスプール２とメインシャフト４の間に配置された摩擦制動システム３に作用してスプール２の回転抵抗を調整し、これによって、釣糸７の出し入れをコントロールする。釣糸７を巻き取る際に、ドラグ装置１を調整することにより摩擦制動システム３に掛ける圧力を増加させてスプール２の回転抵抗を高めることで、スプール２が一定の制動力の範囲内に回転しなくなるため、ローター６の回転により釣糸７がスプール２の釣糸溝に巻き取られる。釣糸７を繰り出す際に、ドラグ装置１を調整することにより摩擦制動システム３に掛ける圧力を低減させてスプールの回転抵抗を低めることで、スプール２が自由に回転して釣糸７を繰り出せる。
【００１３】
図２〜４は本考案に係る魚釣用スピニングリールの目盛り付きドラグ装置１の好ましい実施形態を示す図である。当該実施形態において、ドラグ装置１は、ドラグノブ１１と、ドラグノブ１１の外径より大きな外径を有するドラグカバー１２とを備え、ドラグカバー１２に掛ける制動力を示す目盛り付き部１８を有する。ドラグノブ１１は、その内側にナット１７と、ドラグカバー１２の上部の孔１９に貫通することによってドラグカバー１２をドラグノブ１１に固定するボルト１４と、を有し、この構成によれば、ドラグノブ１１は、ナット１７及びボルト１４と一体になって回転することができる。ナット１７とドラグカバー１２の間に配置されたバネ１６は、その一つの端部がナット１７と当接し、他の端部がドラグカバー１２の内周面と当接している。メインシャフト４は、その前端部がドラグカバー１２の中心孔１５に貫通させ，その前端部のねじ山にナット１７が螺合されている。ナット１７及びバネ１６がドラグカバー１２の推進部を構成する。
【００１４】
ドラグカバー１２の外部の端面が摩擦制動システム３に作用する制動力は、ドラグノブ１１を回転することによって調整することができる。ドラグカバー１２における目盛りは、一定の範囲内におけるスプール２の制動力と対応するように構成されている。具体的には、目盛り付き部における各目盛りは一定値の制動力に対応し、１目盛りごとに回転されるとスプール２に掛ける制動力が前記の一定値に対応して変化することで、ドラグカバー１２における目盛り付き部１８がドラグノブ１１とドラグカバー１２との相対回転角度を精確に示すことができる。ドラグノブ１１がナット１７及びボルト１４の回転によって回転する構造になっているため、制動力が摩擦制動システムを介してスプール２に転送される。この構造によれば、使用者がドラグノブ１１の回転角度を調整することによってスプール２に掛ける制動力を精確にコントロールすることができる。
【００１５】
また、ドラグノブ１１とドラグカバー１２の間に配置された発声装置１３が、ドラグノブ１１を回転する際に、回転が始まったことを提示することができる。
【００１６】
以上、実施形態を用いて本考案を説明したが、本考案の技術的範囲は前記実施形態に記載の範囲には限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００１７】
１            ドラグ装置
２            スプール
３            摩擦制動システム
４            メインシャフト
５            ハンドル
６            ローター
７            釣糸
１１          ドラグノブ
１２          ドラグカバー
１３          発声装置
１４          ボルト
１５          中心孔
１６          バネ
１７          ナット
１８          目盛り付き部
１９          孔
【図１】
0003204780.tif 000003
【図２】
0003204780.tif 000004
【図３】
0003204780.tif 000005
【図４】
0003204780.tif 000006